(57)【要約】【課題】  従来技術における小動物捕獲器は、全開に拡開して待機してねずみの来るのを待つことになるため、粘着材を塗布した一対の挟持板の粘着面が表面にあるので、警戒心の強いねずみはなかなか捕獲できないという問題があった。【解決手段】  上面に粘着材を有する底板１と、該底板１を覆う２枚の移動板３と、前記底板１の粘着部を囲むように四周囲と中間に両移動板３が接着しないように接着防止部材５、６、７を設け、さらに、一方の移動板３に餌台８を設け、該餌台８に係止具１１と、他方の移動板３に係止孔９を設けた小動物捕獲器により課題は解決される。【選択図】図１
2005261268.tif 000002
【特許請求の範囲】
【請求項１】
上面に粘着材を有する底板と、該底板を覆う２枚の移動板と、前記底板の粘着部を囲むように四周囲と中間に両移動板が接着しないように接着防止部材を設け、さらに、一方の移動板に餌台を設け、該餌台に係止具と、他方の移動板に係止孔を設けたことを特徴とする小動物捕獲器。
【請求項２】
係止具と係合する係止孔を、他方の移動板に直接形成せずに、係止孔を有する別体の板材を他方の移動板に設けたことを特徴とする請求項１記載の小動物捕獲器。
【請求項３】
箱状の上蓋に折り曲げ部で連結させた底板を設け、前記上蓋の内側に粘着材を設け、一端に止め部、他端に係止部を設けた支杆を止め部で前記上蓋に固着し、前記係止部は、底板に一部を固着して立ち上げ傾斜させるように設けた餌台の一部に設けた突起状係止片に係止させるようにしたことを特徴とする小動物捕獲器。
【発明の詳細な説明】
【技術分野】
【０００１】
本発明は、ネズミ等の小動物を捕獲し、小動物の捕獲後、容易に処分することができる小動物捕獲器に関するものである。
【背景技術】
【０００２】
従来、内面に粘着材を塗布した一対の挟持板を、閉じたとき相互に覆い被さり、全開したとき山形に拡開するように連結し、両挟持板の連結部の近辺にレバー板を一方の挟持板から起立する位置と一方の挟持板に倒伏する位置との間で回動可能に組み付け、かつ弾力部材を他方の挟持板と前記レバーとの間に張設し、山形に拡開した両挟持板のいずれか一方にねずみが乗ると、倒伏位置にあるレバー板が弾性部材の弾力で起立し、これに伴って両挟持板が互いに覆い被さってねずみを挟持するようにした粘着式ねずみ取り器（例えば、特許文献１参照）が存在している。
また、下面に脚部を有した底板部と、前記底板部に前記底板部と略直角に立設した立壁部と、前記底板部又は前記立壁部に回動自在に配設された押圧部と、前記押圧部と前記立壁部又は前記底板部間に配設された押圧補助部と、前記底板部の所定部に形成された開口部と、前記開口部にシーソー軸を支点に上下動自在でかつ前記底板部と略面一に配設された受圧部と、前記受圧部の前記立壁部側の端部に延設された係合部と、前記受圧部の端部側の前記押圧部及び／又は前記立壁部に形成され、少なくとも前記係合部が挿入され突出される挿入部と、前記押圧部の前記立壁部側に回動自在に配設され前記係合部に挿脱自在に係合される掛け具と、を有した押圧具を備えている小動物捕獲器（例えば、特許文献２参照）が存在している。
【特許文献１】特開２００２−３００８４１号公報（特許請求の範囲の欄、発明の詳細な説明の欄の｛発明の実施の形態｝の段落｛０００６｝〜｛００１３｝、及び図１、図２、図３を参照）
【特許文献２】特開２０００−３３３５８５号公報（特許請求の範囲の欄、発明の詳細な説明の欄の｛発明の実施の形態｝の段落｛００４２｝〜｛００４５｝、｛００４９｝〜｛００５３｝及び図１、図２、図６、図７を参照）
【発明の開示】
【発明が解決しようとする課題】
【０００３】
しかしながら、上記従来技術において、前者の特許文献１に示された粘着式ねずみ取り器は、「内面に粘着材を塗布した一対の挟持板を、閉じたとき相互に覆い被さり、全開したとき山形に拡開するように連結し、両挟持板の連結部の近辺にレバー板を一方の挟持板から起立する位置と一方の挟持板に倒伏する位置との間で回動可能に組み付け、かつ弾力部材を他方の挟持板と前記レバーとの間に張設し、山形に拡開した両挟持板のいずれか一方にねずみが乗ると、倒伏位置にあるレバー板が弾性部材の弾力で起立し、これに伴って両挟持板が互いに覆い被さってねずみを挟持するようにした粘着式ねずみ取り器」という構成のため、全開に拡開して待機してねずみの来るのを待つことになるため、粘着材を塗布した一対の挟持板の粘着面が表面にあるので、警戒心の強いねずみはなかなか捕獲できないという問題があった。
また、後者の特許文献２に示された小動物捕獲器は、移動部材より奥へねずみが入り込んで弾性薄膜体を踏むと、受圧部がシーソー軸を中心に傾き係合部が上方へ上がり、掛け部材の掛け止め孔部からフック状の係合部が外れて押圧部の保持が解除され、立壁部の底板部一辺側や底板部上面等の任意の場所に立設され、押圧補助部としては、押圧部と立壁部又は底板部間に配設されたねじりコイルばね等で押圧部を底板部側へ押し付け、小動物を捕獲箱に捕獲するものであり、構造が複雑で高価なものになり、そのまま捕獲箱と一緒に処分するので、捕獲箱をつぶすだけの強力な押圧力が必要であり、従来のスプリング力でねずみを挟みつけるものと何ら違うものではない。さらに、捕獲箱を取り付けたり、取り外したりと、煩雑な手間がかかるという問題があった。
【課題を解決するための手段】
【０００４】
上記課題を解決するための本発明の第１発明は、請求項１に記載された通りの小動物捕獲器であり、次のようなものである。
上面に粘着材を有する底板と、該底板を覆う２枚の移動板と、前記底板の粘着部を囲むように四周囲と中間に両移動板が接着しないように接着防止部材を設け、さらに、一方の移動板に餌台を設け、該餌台に係止具と、他方の移動板に係止孔を設ける構成である。
【０００５】
上記課題を解決するための本発明の第２発明は、請求項２に記載された通りの小動物捕獲器であり、次のようなものである。
請求項１に記載の発明における、係止具と係合する係止孔を、他方の移動板に直接形成せずに、係止孔を有する別体の板材を他方の移動板に設ける構成である。
【０００６】
上記課題を解決するための本発明の第３発明は、請求項３に記載された通りの小動物捕獲器であり、次のようなものである。
箱状の上蓋に折り曲げ部で連結させた底板を設け、前記上蓋の内側に粘着材を設け、一端に止め部、他端に係止部を設けた支杆を止め部で前記上蓋に固着し、前記係止部は、底板に一部を固着して立ち上げ傾斜させるように設けた餌台の一部に設けた突起状係止片に係止させる構成である。
【発明の効果】
【０００７】
本発明に係る小動物捕獲器は、上記説明のような構成を有するので、以下に記載する効果を奏する。
（１）ねずみ等の小動物が餌台の餌を食べようとして足等で乗っただけで係止孔から係止具が離脱することで瞬時のうちに粘着材の粘着部が現れ、その粘着材でねずみ等の小動物は粘着捕獲できる。それをスライドした左右の移動板でねずみ等の小動物を覆うため、使用者の不快感を抑えて小動物の処分をすることができる。
（２）ねずみ等の小動物が餌台の餌に近づいて足等で餌台に乗っただけで簡単に瞬時のうちに確実な捕獲ができる。
（３）略平板状の小動物捕獲器であり、常時は粘着材を覆った状態に構成されていので、小動物捕獲器同士が接着するのを防止でき、輸送時の容積削減ができ輸送性に優れている。
【発明を実施するための最良の形態】
【０００８】
上面に粘着材を塗布するか、または粘着シートを貼付した四角形の底板と、該底板上部の全面を覆う左右、または前後に弾性体の伸縮力でスライドする２枚の移動板と、前記底板の粘着部を囲むように四周囲と中間に両移動板が接着しないように接着防止部材を設け、さらに、一方の移動板に、他方の移動板に突き当たる側の適宜位置に取り付けた餌台と、該餌台に設けた係止具と、該係止具と係合する係止孔を、他方の移動板と一方の移動板とが突き当たる側の適宜位置に形成したことを特徴とする小動物捕獲器である。
【実施例】
【０００９】
図１は、本発明の小動物捕獲器の第一実施例を示す斜視図、図２は、本発明の第一実施例における餌台等の主要部を示す平面図で、（イ）は係止状態を示す平面図、（ロ）は係止具が離脱した状態を示す平面図、図３は、図２（イ）におけるＡ−Ａ´矢視の断面図で、（イ）は係止具の係止状態の断面図、（ロ）は係止具の離脱状態を示す断面図、図４は、本発明の小動物捕獲器の第二実施例を示す斜視図、図５は、本発明の第二実施例における餌台等の主要部を示す平面図で、（イ）は係止具の係止状態を示す平面図、（ロ）は餌台の展開状態を示す平面図で、中間の実線部は切断されていて、点線部は折り曲げ部を示すものである。図６は、図５（イ）におけるＢ−Ｂ´矢視の断面図で、（イ）は係止具の係止状態を示す断面図、（ロ）は係止具の離脱状態を示す断面図、図７は、図５（イ）におけるＣ−Ｃ´矢視の断面図、図８は、本発明の小動物捕獲器の第三実施例を示す斜視図、図９は、本発明の第三実施例における餌台等の主要部を示す概略斜視図、図１０は、第三実施例の主要部を示す断面図で、（イ）は係止具の係止状態を示す断面図、（ロ）は係止具が離脱した状態を示す断面図、図１１は、本発明の小動物捕獲器の移動板が粘着部に接着するのを防止する接着防止部材の第一実施例を示すもので、（イ）は平面図、（ロ）は接着防止部材の具体的な実施例を示す斜視図、図１２は同じく接着防止部材の第二実施例を示すもので、（イ）は平面図、（ロ）は接着防止部材の具体的な実施例を示す斜視図である。
【００１０】
本発明の第一実施例について、図１〜図３に基づいて説明する。
正方形、矩形等の略四角形の底板１の上面に粘着材を塗布するか、または粘着シート２を貼付し、この底板１上部の全面を覆うように左右、または前後にスライドする２枚の移動板３を図１に示すように両端を結ぶように弾性体４（例えば、バネ材、弾性ゴム紐等）を取り付けこの弾性体４の伸縮力で、２枚の移動板３は底板１上をスライドする。そして図１１、図１２に示すように、２枚の移動板３をスムーズに底板１の上面に設けられた粘着材に左右されずにスライドできるようにしたもので、前記底板１の粘着材、あるいは粘着シート２を囲むように四周囲を接着防止部材５で覆い、さらに中間部にリング状の接着防止部材６を設けたり、同じく中間部に棒状の接着防止部材７を１本以上（図１２では３本設けた実施例を示している）設けるようにしたもので、これら各接着防止部材５、６、７上を２枚の移動板３は円滑にスライドするものである。
【００１１】
さらに、図２（イ）（ロ）に示すように一方の移動板３に餌台８を、他方の移動板３に係止孔９を有する係止片１０を設け、前記餌台８は上方向に傾斜した状態で一方の移動板３に設けられ、その一部に係止具１１を設けたものである。この係止具１１は、他方の移動板３に設けた係止片１０の係止孔９に係止状態になるように、一部折り曲げた状態になっている。さらに、このような構成を有しているので、図３（イ）に示すように２枚の移動板３と餌台８、係止片１０、係止孔９、係止具１１が図示のような関係にある時、弾性体４に抗して底板１の粘着部を覆うように２枚の移動板３が位置してこの状態を維持するものである。
【００１２】
そして、ねずみ等の小動物が餌を取りにきて餌台に足を掛けたりして乗ると、図３（イ）の矢視ａのように下動する。この下動により図３（ロ）に示すように、係止具１１が係止片１０の係止孔９から離脱して、２枚の移動板３は矢視ｂのように瞬時に弾性体４の伸縮力の縮力によって離間して、底板１に貼付された粘着シート２が現れ、そこにねずみ等の小動物が落ちて粘着力で捕獲できる小動物捕獲器である。
【００１３】
ここで図示はしていないが、保管時、輸送時における安全性を高める構成として、２枚の移動板３が弾性体４の伸張力に抗して突き当って粘着シート２を覆う状態を保持するために、係止具１１と係止孔９の構成の他に、補助的に２枚の移動板３の突き当る側の側端に突片を設け、この両突片を輪ゴム等でからめ係止する構成が考えられる。
そして、ねずみ等が出没しそうな場所に設置する際、輪ゴム等の係止を外して、係止具１１と係止孔９との係合だけにして、ねずみ等が餌を食べに来た時に係止具１１が係止孔９から瞬時に離脱して粘着部を現させてねずみ等を粘着捕獲するものである。
【００１４】
次に、図４〜図６に基づいて本発明の第二実施例について説明する。
第一実施例の図１〜図３に示した小動物捕獲器との違いは、餌台８、係止具１１、係止片１０、係止孔９の構成が違っている。この点を図４〜図６に基づいて詳細に説明する。
餌台８は、図５（ロ）の展開した状態として示すように矩形で、一方の移動板３に固着する部位１２で鎖線部で折り曲げ、複数個所の支片１３を実線部のように一部切断して設けたものである。
餌台８は前記鎖線部で折り曲げ、餌を付けた部分１４と一方の移動板３に固着する部分１５とを設けるもので、図５（イ）、図６（イ）に示すように、固着する部分１５を一方の移動板３に固着する。そして、餌の付いた部分が図６（イ）のように常時は斜め上方に傾斜させた状態で維持するように形成され、この際餌台８の餌を付けた部分１４に設けた一部の餌がない部分に係止具１１を固着し、他方の移動板３には内側端部に係止孔９を形成し、この係止孔９に係止状態で係止具１１を係合するようになっている。この係止状態において、小動物、例えばねずみが餌を狙って食べたり、足で踏み付けると、図５（イ）のＢ−Ｂ´矢視の断面図として示した図６（イ）のように矢視ｃ方向に押し下げられ、図６（ロ）のようになり、係止具１１の係止片１０が他の移動板３に穿設された係止孔９から離脱し、瞬時のうちに両移動板３は弾性体４の弾性力により矢視ｄのように開き粘着部が現れ、ねずみは粘着捕獲されるものである。
なお、図７に示したものは、図５（イ）のＣ−Ｃ´矢視の断面図であって、図示されている前記支片１３は、他の移動板３を押え、係止具１１の離脱をスムーズにするために設けるものである。
以上説明した構成を除いた他の構成は、前記説明の図１〜図３で示した第一実施例と同一なので詳細な説明は省略する。
【００１５】
次に、図８〜図１０に基づいて、第三実施例について説明する。
ボックス形蓋体１６の内側に粘着材を塗布したり、粘着シート２を貼り付け、前記ボックス形蓋体１６に貼り付けた粘着シート２部を外して部位１２に係止具１１を有する支杆１７を固着部１８で止め付ける。さらに前記ボックス形蓋体１６に連続して底板１９を形成し、ボックス形蓋体１６と底板１９との境には折り曲げ部２０を形成していて、第一実施例と同様に餌台８は固着する部分１５で折り曲げられて餌の付いた部分１４が上向に傾斜した状態で形成され、この傾斜した状態で係止具１１が係止できるように、突起状係止片２１を餌台８に図１０（イ）、（ロ）に図示したように突設する。
尚、餌台を上向きに傾斜した状態に維持するための補助部材、並びに支杆１７を安定作動させるものとして、図９に図示するように支持片２３を設けることも有効である。
【００１６】
そして、ボックス形蓋体１６と底板１９の開口する側端にゴム紐やバネ等の弾性体２２で連結するように形成されている。この状態｛図１０（イ）｝でねずみが餌に食いついて餌台８を矢視ｆのように押し下げると、支杆１７の係止具１１が突起状係止片２１より離脱｛図１０（ロ）｝し、図１０（ロ）における矢視ｅのように丁度、つっかえ棒が外れた状態になって粘着面が弾性体２２の収縮力で瞬時に下降移動してねずみを粘着捕獲できるものである。また、第一、第二実施例の場合、金属製を採用する際は両移動板３を案内する凹状のガイドを設けることも設計できる。
なお、材料としては、紙製、合成樹脂製、ダンボール製、アルミ等の金属製が採用され、この内、金属製の場合にはゴム紐に替えて金属製スプリングを採用することで充分の機能を奏するものである。
【産業上の利用可能性】
【００１７】
ねずみ等の警戒心の強い小動物の捕獲に対応でき、その対象とする小動物自体の重さに合せた弾性体を採用することで幅広く応用することができる。
【図面の簡単な説明】
【００１８】
【図１】本発明の小動物捕獲器の第一実施例を示す斜視図である。
【図２】本発明の第一実施例における餌台等の主要部を示す平面図で、（イ）は係止状態を示す平面図、（ロ）は係止具が離脱した状態を示す平面図である。
【図３】図２（イ）におけるＡ−Ａ´矢視の断面図で、（イ）は係止具の係止状態の断面図、（ロ）は係止具の離脱状態を示す断面図である。
【図４】本発明の小動物捕獲器の第二実施例を示す斜視図である。
【図５】本発明の第二実施例における餌台等の主要部を示す平面図で、（イ）は係止具の係止状態を示す平面図、（ロ）は餌台の展開状態を示す平面図で、中間の実線部は切断されていて、点線部は折り曲げ部を示すものである。
【図６】図５（イ）におけるＢ−Ｂ´矢視の断面図で、（イ）は係止具の係止状態を示す断面図、（ロ）は係止具の離脱状態を示す断面図である。
【図７】図５（イ）におけるＣ−Ｃ´矢視の断面図である。
【図８】本発明の小動物捕獲器の第三実施例を示す斜視図である。
【図９】本発明の第三実施例における餌台等の主要部を示す略斜視図である。
【図１０】本発明の第三実施例における餌台等の主要部を示す断面図で、（イ）は係止具の係止状態を示す断面図、（ロ）は係止具が離脱した状態を示す断面図である。
【図１１】本発明の小動物捕獲器の移動板が粘着部に接着するのを防止する接着防止具の第一実施例を示すもので、（イ）は平面図、（ロ）は接着防止具の具体的な実施例を示す斜視図である。
【図１２】本発明の小動物捕獲器の移動板が粘着部に接着するのを防止する接着防止具の第二実施例を示すもので、（イ）は平面図、（ロ）は接着防止具の具体的な実施例を示す斜視図である。
【符号の説明】
【００１９】
１・・・・底板                              ２・・・・粘着シート
３・・・・移動板                            ４・・・・弾性体
５・・・・接着防止部材                      ６・・・・リング状の接着防止部材
７・・・・棒状の接着防止部材                ８・・・・餌台
９・・・・係止孔                          １０・・・・係止片
１１・・・・係止具                          １２・・・・部位
１３・・・・支片                            １４・・・・餌の付いた部分
１５・・・・固着する部分                    １６・・・・ボックス形蓋体
１７・・・・支杆                            １８・・・・固着部
１９・・・・底板                            ２０・・・・折り曲げ部
２１・・・・突起状係止片                    ２２・・・・弾性体
２３・・・・支持片
【図１】
2005261268.tif 000003
【図２】
2005261268.tif 000004
【図３】
2005261268.tif 000005
【図４】
2005261268.tif 000006
【図５】
2005261268.tif 000007
【図６】
2005261268.tif 000008
【図７】
2005261268.tif 000009
【図８】
2005261268.tif 000010
【図９】
2005261268.tif 000011
【図１０】
2005261268.tif 000012
【図１１】
2005261268.tif 000013
【図１２】
2005261268.tif 000014